(57)【要約】【課題】  指の硬直や震えなど様々な手の障害を有する人であると、自分の手によってスパゲッティ等をフォークに上手に絡め取ることができなかった。【解決手段】  フォーク部と柄部とからなり、柄部は中空部分を有する細長い形状であり、柄部に回転源を設け、回転源の回転軸と連結する回転軸装着部の回転軸心を柄部の長手方向に向けて設け、回転軸装着部は、フォーク部と一体的に回転可能に装脱可能であり、柄部に設けた回転スイッチにより、回転軸装着部に装着したフォーク部のみを、柄部に対して回転させることが可能な回転式フォークによって解決する。【選択図】  図１
2005131348.tif 000002
【特許請求の範囲】
【請求項１】
フォーク部と柄部とからなり、柄部は中空部分を有する細長い形状であり、柄部に回転源を設け、回転源の回転軸と連結する回転軸装着部の回転軸心を柄部の長手方向に向けて設け、回転軸装着部は、フォーク部と一体的に回転可能に装脱可能であり、柄部に設けた回転スイッチにより、回転軸装着部に装着したフォーク部のみを、柄部に対して回転させることが可能なことを特徴とする回転式フォーク。
【請求項２】
フォーク部と柄部とからなり、柄部は中空部分を有する細長い形状であり、柄部に回転源を設け、回転源の回転軸と連結する回転軸装着部の回転軸心を柄部の長手方向に向けて設け、回転軸装着部は、フォーク部と一体的に回転可能に装脱可能であり、柄部に設けた回転スイッチにより、回転軸装着部に装着したフォーク部のみを、柄部に対して回転させるとともに、フォーク部の回転数を変更可能とすることを特徴とする回転式フォーク。
【発明の詳細な説明】
【技術分野】
【０００１】  この発明は、スパゲッティ等の麺類を食べる時に使用するフォークに関する。特に、スパゲティ等の麺類を食べる時にフォークを自力で回転させにくい高年齢者や手に障害を有する人や、手の動きの未発達な児童用のフォークに関する。
【背景技術】
【０００２】  麺類の中でも、スパゲッティ等のフォークを使用して食する麺において、その食する通常の使用方法は、フォークの先端をスパゲッティ等を巻き付けて、手の指を使いフォークを回転させて、適量を巻き付けたうえ、スパゲッティ等を口に運び、食べている。【０００３】  従来技術としては、人以外の回転源によってフォーク部が柄部に対して回転可能なフォークは公知ではなかった。
【発明の開示】
【発明が解決しようとする課題】
【０００４】  しかしながら、高齢者等、指の硬直や震えなど様々な手の障害を有する人、あるいは手の動きの未発達な児童などが、フォークを使用してスパゲッティ等を食べようとしても、フォークの先端にスパゲッティ等を挟み込んだとしても、上手にフォークを回転して、適量のスパゲッティ等をフォーク先端に巻き付けることは困難であった。【０００５】  また、食欲のない児童や幼児、またスパゲティ等の麺類に興味のない子供や老齢者が、興味をそそるような食器具は、知られていなかった。
【課題を解決するための手段】
【０００６】  上記の課題を解決するために、フォーク部と柄部とからなり、柄部は中空部分を有する細長い形状であり、柄部に回転源を設け、回転源の回転軸と連結する回転軸装着部の回転軸心を柄部の長手方向に向けて設け、回転軸装着部は、フォーク部と一体的に回転可能に装脱可能であり、柄部に設けた回転スイッチにより、回転軸装着部に装着したフォーク部のみを、柄部に対して回転させることが可能なことを特徴とする回転式フォークを発明者は、発明した。。【０００７】  また、フォーク部と柄部とからなり、柄部は中空部分を有する細長い形状であり、柄部に回転源を設け、回転源の回転軸と連結する回転軸装着部の回転軸心を柄部の長手方向に向けて設け、回転軸装着部は、フォーク部と一体的に回転可能に装脱可能であり、柄部に設けた回転スイッチにより、回転軸装着部に装着したフォーク部のみを、柄部に対して回転させるとともに、フォーク部の回転数を変更可能とすることを特徴とする回転式フォークを発明者は、発明した。
【発明の効果】
【０００８】  この発明によれば、高齢者等、指の硬直や震えなど様々な手の障害を有する人であっても、ワンタッチ式の回転スイッチによって、フォーク部のみが回転可能となり、スパゲッティ等にフォーク部を差し入れた後に、回転スイッチを押すか、握りしめることによって柄部に対してフォーク部のみを、ゆっくりとした回転を与え、スパゲッティ等をフォーク部に絡め取ることができる。【０００９】  このような作用を利用して、指先の不自由な人のリハビリテーション器具として、使用することが可能である。【００１０】  また、児童、幼児が食欲不振等の場合も、手で握る柄部を持ったまま、フォーク部の回転によりスパゲッティ等を絡め取ることができるので、遊び心を通して、スパゲッティ等を食するような気持ちにさせることができる。
【発明を実施するための最良の形態】
【００１１】  この発明の実施形態を示す図１及び図２に基づいて説明する。この発明は、フォーク部１と柄部２とからなり、柄部２の回転軸装着部３にフォーク部１を着脱可能に装着でき、フォーク部１のみを柄部２に対して回転可能である。【００１２】  フォーク部１は、一般的にスパゲッティ用に使用される大きさであり、フォーク状部分１０と係止部１１からなり、係止部１１は、後述する回転軸装着部３の凹状の係合形状に対応する凸状形状であり、また、回転軸装着部３の凹状内側に突出する係止突起３０に係止可能な係止孔１２を設けている。【００１３】  柄部２は、人間の手が丁度握りやすい太さの細長い中空円筒形であり、内部に回転源４を設け、周面に回転スイッチ５を設けている。柄部２の中空円筒形の形状は、手で握りやすく表面を変形させた方がよく、内部に回転源４が設けられればよい。この実施例では回転源４はモータであり、そのモータ４の回転軸４０に減速ギア６を介して回転軸装着部３を設ける。回転軸装着部３の回転軸心は、中空円筒状の長手方向に向けて設けられている。【００１４】  モータ４の回転軸４０には、減速ギア６を設けており、回転スイッチ５の操作で減速させた複数の回転数を選択可能である。【００１５】  柄部２の長手方向一端側面には、側面に開口するフォーク挿入口２０を設けており、フォーク挿入口２０の内部に回転軸装着部３を回転可能に設ける。回転軸装着部３は、フォーク部１の係止部１１と挿脱可能であるような凹状挿入筒形状であり、この実施例では凹状挿入筒の内側に突出する係止突起３０を設けている。係止突起３０は、スプリング等の弾性体により付勢され自動的にフォーク部１の係止部１１が挿入されると、押されて一度引っ込み、係止孔１２の位置でまた付勢され係止孔１２に係止することができる。柄部２の周面に、係止突起３０を引っ込ませフォーク部１を柄部２から外し易くする係脱スイッチ（図示せず）を設けてもよい。【００１６】  次に、この発明の作動について説明する。使用しようとする場合、フォーク部１の係止部１１を、柄部２のフォーク挿入口２０から挿入して回転軸装着部３に挿入して装着する。このとき、回転軸装着部３の係止突起３０は、フォーク部１の係止部１１に押されて一度引っ込み、それから係止孔１２に入りフォーク部１が抜けないように自動的に係止する。【００１７】  次に、回転スイッチ５を押して回転源であるモータ４を回転させ、回転軸４０から減速ギア６を介して回転数を減速させて回転軸装着部３を回転させる。そして回転軸装着部３に一体に回転可能に装着されているフォーク部１のみを回転させる。この回転数は、回転スイッチ５により、数段階に分けて変更可能であり、その人に適合した回転数を得ることができる。【００１８】  そして、柄部２を持って回転するフォーク部１のフォーク状部分１０をスパゲッティ等に差し込み、適宜量のスパゲッティをフォーク状部分１０に巻き付きさせた後、再び回転スイッチ５を押してモータ４の回転を止め、フォーク部１の回転を止める。その後、回転を止めたフォーク部１のスパゲッティを口に運び食することができる。そのため、手でフォークを回転できない高齢者や指の硬直や震えなど様々な手の障害を有する人であっても��スパゲッティ等をフォーク部に絡め取ることができる。【００１９】  また、スパゲッティなどを食することに使った後は、フォーク部１を、引っ張って柄部２の回転軸装着部３から外して、フォーク部１のみを洗って清潔に保つことができる。【００２０】  さらに、他の実施形態としては、回転軸装着部３の凹状挿入部の形状を市販のフォークの柄部が挿入して挿脱可能に形成することによって、係止孔１２のない市販のフォークをフォーク部１として使用することもできる。
【産業上の利用可能性】
【００２１】  医療施設や高齢者福祉施設において利用可能性がある。また、指先の不自由な人のリハビリテーション器具として、使用することが可能である。【００２２】  また、一般家庭や幼稚園等において、児童、幼児にスパゲッティなどの麺類に興味を持たせるために、利用することが可能である。
【図面の簡単な説明】
【００２３】
【図１】  フォーク部と柄部を装着した状態を示す平面図
【図２】  フォーク部と柄部を装着した状態の柄部の内部を示す説明図
【符号の説明】
【００２４】  １  フォーク部
１０  フォーク状部分
１１  係止部
１２  係止孔
２  柄部
２０  フォーク部挿入口
３  回転軸装着部
３０  係止突起
４  回転源（モータ）
４０  回転軸
５  回転スイッチ
６  減速ギア
【図１】
2005131348.tif 000003
【図２】
2005131348.tif 000004